(57)【要約】  本発明の実施例は、時間領域リソース確定方法、装置、記憶媒体及びシステムを提供する。該方法は、ネットワーク装置から送信されたスケジューリングするための時間領域リソースの割り当て情報を受信し、ここで、前記スケジューリング待ちの時間領域リソースが、チャネル伝送をしようとする時間領域リソースを含むことと、設定されたルールによって、アップリンク及びダウンリンク時間領域リソース配置情報及び割り当て情報に基づいて、スケジューリング待ちの時間領域リソースに対応する時間領域位置を確定することと、スケジューリング待ちの時間領域リソースによって、前記スケジューリング待ちの時間領域リソースに対応する時間領域位置に従って、前記ネットワーク装置とチャネル伝送を行うこととを含む。端末がチャネル伝送を行う時に、時間領域配置情報と衝突して端末が短期間内にチャネル伝送を行うことができないことを回避するだけでなく、端末と基地局がチャネル伝送を行う時のシグナリングオーバーヘッドを節約し、また制御シグナリングの繰り返し送信による誤検出確率の増加を回避する。
2020537364.tif 000002
【特許請求の範囲】
【請求項１】
時間領域リソース確定方法であって、端末に応用され、
ネットワーク装置から送信されたスケジューリングするための時間領域リソースの割り当て情報を受信することであって、
ここで、前記スケジューリング待ちの時間領域リソースが、チャネル伝送をしようとする時間領域リソースを含む、ことと、
設定されたルールによって、アップリンク及びダウンリンク時間領域リソース配置情報及び割り当て情報に基づいて、スケジューリング待ちの時間領域リソースに対応する時間領域位置を確定することと、
スケジューリング待ちの時間領域リソースによって、前記スケジューリング待ちの時間領域リソースに対応する時間領域位置に従って、前記ネットワーク装置とチャネル伝送を行うこととを含む、前記時間領域リソース確定方法。
【請求項２】
前記スケジューリングするための時間領域リソースの割り当て情報は、スケジューリング待ちの時間領域リソースの数量情報を含むことを特徴とする
請求項１に記載の方法。
【請求項３】
設定されたルールによって、アップリンク及びダウンリンク時間領域リソース配置情報及び前記割り当て情報に基づいて、前記スケジューリング待ちの時間領域リソースに対応する時間領域位置を確定することは、
アップリンク及びダウンリンク時間領域リソース配置情報に基づいて、前記スケジューリング待ちの時間領域リソースのための候補時間領域リソースを確定することであって、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であることと、
前記スケジューリング待ちの時間領域リソースを前記候補時間領域リソースに順次充填し、前記スケジューリング待ちの時間領域リソースに対応する時間領域位置を確定することとを含むことを特徴とする
請求項２に記載の方法。
【請求項４】
前記スケジューリングするための時間領域リソースの割り当て情報は、スケジューリング待ちの時間領域リソースの数量情報及び各スケジューリング待ちの時間領域リソースに対する予選位置情報を含むことを特徴とする
請求項１に記載の方法。
【請求項５】
設定されたルールによって、アップリンク及びダウンリンク時間領域リソース配置情報及び前記割り当て情報に基づいて、前記スケジューリング待ちの時間領域リソースに対応する時間領域位置を確定することは、
アップリンク及びダウンリンク時間領域リソース配置情報に基づいて、各スケジューリング待ちの時間領域リソースの予選位置情報から、衝突する時間領域リソース位置を確定するステップ１であって、ここで、前記衝突する時間領域リソース位置が、時間領域リソース配置情報内の、前記スケジューリング待ちの時間領域リソースのチャネル伝送方向と反対する時間領域リソース位置である、ステップ１と、
予選位置内の衝突する時間領域リソース位置を、前記衝突する時間領域リソース位置に最も近い非衝突の時間領域リソース位置に後方へ移動する、ステップ２と、
予選位置内の前記衝突する時間領域リソース位置の後の予選位置を、前記衝突する時間領域リソース位置の後方移動距離に従って、後方へ移動する、ステップ３と、
アップリンク及びダウンリンク時間領域リソース配置情報に基づき、後方へ移動した後の予選位置に衝突する時間領域リソース位置が存在するか否かを判定し、存在する場合、ステップ２を実行し、後方へ移動した後の予選位置に衝突する時間領域リソース位置が存在しないようになるまで続き、そしてステップ５を実行し、存在しない場合、ステップ５を実行する、ステップ４と、
前記スケジューリング待ちの時間領域リソースを、後方へ移動した後の予選位置に順次充填し、前記スケジューリング待ちの時間領域リソースに対応する時間領域位置を確定する、ステップ５と、を含むことができることを特徴とする
請求項４に記載の方法。
【請求項６】
前記チャネルは、データチャネル又は制御チャネルを含むことを特徴とする
請求項１に記載の方法。
【請求項７】
前記スケジューリングするための時間領域リソースの割り当て情報は、ダウンリンク制御情報（ＤＣＩ）に搬送されることを特徴とする
請求項１に記載の方法。
【請求項８】
前記方法はさらに、
前記ネットワーク装置から送信されたアップリンク及びダウンリンク時間領域リソース配置情報を受信し、ここで、前記アップリンク及びダウンリンク時間領域リソース配置情報が、利用可能な時間領域リソースのスロットレベル位置情報及び／又はシンボルレベル位置情報を含むことを含むことを特徴とする
請求項１に記載の方法。
【請求項９】
前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送されることを特徴とする
請求項１に記載の方法。
【請求項１０】
前記アップリンク及びダウンリンク時間領域リソース配置情報は、フレーム構造情報及び／又はスロットフォーマットインジケータ（ＳＦＩ）であることを特徴とする
請求項９に記載の方法。
【請求項１１】
時間領域リソース確定方法であって、ネットワーク装置に応用され、前記方法が
端末へスケジューリングするための時間領域リソースの割り当て情報を送信することであって、ここで、前記スケジューリング待ちの時間領域リソースが、チャネル伝送をしようとする時間領域リソースを含み、前記割り当て情報が、前記端末が前記スケジューリング待ちの時間領域リソースに対応する時間領域位置を確定することに用いられることと、
前記スケジューリング待ちの時間領域リソースによって、前記スケジューリング待ちの時間領域リソースに対応する時間領域位置に従って、前記端末とチャネル伝送を行うこととを含む、前記時間領域リソース確定方法。
【請求項１２】
前記チャネルは、データチャネル又は制御チャネルを含むことを特徴とする
請求項１１に記載の方法。
【請求項１３】
前記スケジューリングするための時間領域リソースの割り当て情報は、ダウンリンク制御情報（ＤＣＩ）に搬送されることを特徴とする
請求項１１に記載の方法。
【請求項１４】
前記方法はさらに、
前記端末へアップリンク及びダウンリンク時間領域リソース配置情報を送信し、ここで、前記アップリンク及びダウンリンク時間領域リソース配置情報が、利用可能な時間領域リソースのスロットレベル位置情報及び／又はシンボルレベル位置情報を含むことを含むことを特徴とする
請求項１１に記載の方法。
【請求項１５】
前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送されることを特徴とする
請求項１１に記載の方法。
【請求項１６】
前記アップリンク及びダウンリンク時間領域リソース配置情報は、フレーム構造情報及び／又はスロットフォーマットインジケータ（ＳＦＩ）であることを特徴とする
請求項１５に記載の方法。
【請求項１７】
前記スケジューリングするための時間領域リソースの割り当て情報は、前記スケジューリング待ちの時間領域リソースの数量情報を含み、又は、前記スケジューリングするための時間領域リソースの割り当て情報は、前記スケジューリング待ちの時間領域リソースの数量情報及び各スケジューリング待ちの時間領域リソースに対する予選位置情報を含むことを特徴とする
請求項１１に記載の方法。
【請求項１８】
前記端末であって、受信部、確定部と第一の伝送部を備え、ここで、
前記受信部がネットワーク装置から送信されたスケジューリングするための時間領域リソースの割り当て情報を受信するように構成され、ここで、前記スケジューリング待ちの時間領域リソースが、チャネル伝送をしようとする時間領域リソースを含み、
前記確定部が設定されたルールによって、アップリンク及びダウンリンク時間領域リソース配置情報及び割り当て情報に基づいて、スケジューリング待ちの時間領域リソースに対応する時間領域位置を確定するように構成され、
前記第一の伝送部がスケジューリング待ちの時間領域リソースによって、前記スケジューリング待ちの時間領域リソースに対応する時間領域位置に従って、ネットワーク装置とチャネル伝送を行うように構成される、前記端末。
【請求項１９】
前記スケジューリングするための時間領域リソースの割り当て情報は、スケジューリング待ちの時間領域リソースの数量情報を含むことを特徴とする
請求項１８に記載の端末。
【請求項２０】
前記確定部は、
アップリンク及びダウンリンク時間領域リソース配置情報に基づいて、前記スケジューリング待ちの時間領域リソースのための候補時間領域リソースを確定し、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であり、
前記スケジューリング待ちの時間領域リソースを前記候補時間領域リソースに順次充填し、前記スケジューリング待ちの時間領域リソースに対応する時間領域位置を確定するように構成されることを特徴とする
請求項１９に記載の端末。
【請求項２１】
前記スケジューリングするための時間領域リソースの割り当て情報は、スケジューリング待ちの時間領域リソースの数量情報及び各スケジューリング待ちの時間領域リソースに対する予選位置情報を含むことを特徴とする
請求項１８に記載の端末。
【請求項２２】
前記確定部は、
アップリンク及びダウンリンク時間領域リソース配置情報に基づいて、各スケジューリング待ちの時間領域リソースの予選位置情報から、衝突する時間領域リソース位置を確定するステップ１であって、ここで、前記衝突する時間領域リソース位置が、時間領域リソース配置情報内の、前記スケジューリング待ちの時間領域リソースのチャネル伝送方向と反対する時間領域リソース位置である、ステップ１と、
予選位置内の衝突する時間領域リソース位置を、前記衝突する時間領域リソース位置に最も近い非衝突の時間領域リソース位置に後方へ移動する、ステップ２と、
予選位置内の前記衝突する時間領域リソース位置の後の予選位置を、前記衝突する時間領域リソース位置の後方移動距離に従って、後方へ移動する、ステップ３と、
アップリンク及びダウンリンク時間領域リソース配置情報に基づき、後方へ移動した後の予選位置に衝突する時間領域リソース位置が存在するか否かを判定し、存在する場合、ステップ２を実行し、後方へ移動した後の予選位置に衝突する時間領域リソース位置が存在しないようになるまで続き、そしてステップ５を実行し、存在しない場合、ステップ５を実行する、ステップ４と、
前記スケジューリング待ちの時間領域リソースを、後方へ移動した後の予選位置に順次充填し、前記スケジューリング待ちの時間領域リソースに対応する時間領域位置を確定する、ステップ５と、を実行するように構成されることを特徴とする
請求項２１に記載の端末。
【請求項２３】
前記受信部は、さらに前記ネットワーク装置から送信されたアップリンク及びダウンリンク時間領域リソース配置情報を受信するように構成され、ここで、前記アップリンク及びダウンリンク時間領域リソース配置情報が、利用可能な時間領域リソースのスロットレベル位置情報及び／又はシンボルレベル位置情報を含むことを特徴とする
請求項１８に記載の端末。
【請求項２４】
ネットワーク装置であって、送信部、第二の伝送部を備え、ここで、
前記送信部が端末へスケジューリングするための時間領域リソースの割り当て情報を送信するように構成され、ここで、前記スケジューリング待ちの時間領域リソースが、チャネル伝送をしようとする時間領域リソースを含み、前記割り当て情報が前記スケジューリング待ちの時間領域リソースに対応する時間領域位置を確定するために前記端末によって用いられ、
前記第二の伝送部が前記スケジューリング待ちの時間領域リソースによって、前記スケジューリング待ちの時間領域リソースに対応する時間領域位置に従って、前記端末とチャネル伝送を行うように構成される、前記ネットワーク装置。
【請求項２５】
前記受信部は、さらに前記端末へアップリンク及びダウンリンク時間領域リソース配置情報を送信するように構成され、ここで、前記アップリンク及びダウンリンク時間領域リソース配置情報が、利用可能な時間領域リソースのスロットレベル位置情報及び／又はシンボルレベル位置情報を含むことを特徴とする
請求項２４に記載のネットワーク装置。
【請求項２６】
前記コンピュータ読み取り可能媒体であって、時間領域リソースを確定するためのプログラムを記憶し、時間領域リソースを確定するための前記プログラムが少なくとも一つのプロセッサによって実行される時に請求項１−１０のいずれか一項に記載されるステップを実行する、前記コンピュータ読み取り可能媒体。
【請求項２７】
コンピュータ読み取り可能媒体であって、時間領域リソースを確定するためのプログラムを記憶し、時間領域リソースを確定するための前記プログラムが少なくとも一つのプロセッサによって実行される時に請求項１０−１７のいずれか一項に記載されるステップを実行する、前記コンピュータ読み取り可能媒体。
【請求項２８】
端末であって、第一のネットワークインタフェース、第一のメモリと第一のプロセッサを備え、
ここで、前記第一のネットワークインタフェースが他の外部ネットワーク要素との情報の送受信において、信号を受信及び送信するように構成され、
前記第一のメモリが第一のプロセッサで実行可能なコンピュータプログラムを記憶するように構成され、
前記第一のプロセッサが前記コンピュータプログラムを実行する時に、請求項１−１０のいずれか一項に記載される方法のステップを実行するように構成される、前記端末。
【請求項２９】
ネットワーク装置であって、第二のネットワークインタフェース、第二のメモリと第二のプロセッサを備え、
ここで、前記第二のネットワークインタフェースが他の外部ネットワーク要素との情報の送受信において、信号を受信及び送信するように構成され、
前記第二のメモリが第二のプロセッサで実行可能なコンピュータプログラムを記憶するように構成され、
前記第二のプロセッサが前記コンピュータプログラムを実行する時に、請求項１１−１７のいずれか一項に記載される方法のステップを実行するように構成される、前記ネットワーク装置。
【請求項３０】
時間領域リソース確定システムであって、端末とネットワーク装置を備え、ここで、
前記ネットワーク装置が前記端末へスケジューリングするための時間領域リソースの割り当て情報を送信し、ここで、前記スケジューリング待ちの時間領域リソースが、チャネル伝送をしようとする時間領域リソースを含み、前記割り当て情報が前記スケジューリング待ちの時間領域リソースに対応する時間領域位置を確定するために前記端末によって用いられ、
前記スケジューリング待ちの時間領域リソースによって、前記スケジューリング待ちの時間領域リソースに対応する時間領域位置に従って、前記端末とチャネル伝送を行うように構成され、
前記端末が前記ネットワーク装置から送信されたスケジューリングするための時間領域リソースの割り当て情報を受信し、ここで、前記スケジューリング待ちの時間領域リソースが、チャネル伝送をしようとする時間領域リソースを含み、
設定されたルールによって、アップリンク及びダウンリンク時間領域リソース配置情報及び割り当て情報に基づいて、スケジューリング待ちの時間領域リソースに対応する時間領域位置を確定し、
スケジューリング待ちの時間領域リソースによって、前記スケジューリング待ちの時間領域リソースに対応する時間領域位置に従って、前記ネットワーク装置とチャネル伝送を行うように構成される、前記時間領域リソース確定システム。
【発明の詳細な説明】
【技術分野】
【０００１】
本発明は、無線通信技術分野に関し、特に時間領域リソース確定方法、装置、記憶媒体及びシステムに関する。
【背景技術】
【０００２】
通信技術の発展に伴い、第５世代の移動通信技術（５Ｇ：５ｔｈ  Ｇｅｎｅｒａｔｉｏｎ）の研究も進められている。５Ｇの無線アクセスはＮｅｗ  Ｒａｄｉｏと呼ばれ、ＮＲと略称される。５Ｇが超高速のデータ伝送レート、多数のデータ接続、低いデータ伝送遅延をサポートする必要があるため、現在用いられている長期進化型（ＬＴＥ：Ｌｏｎｇ  Ｔｅｒｍ  Ｅｖｏｌｕｔｉｏｎ）システムと比較し、５Ｇ  ＮＲシステムでは、リソース割り当ての柔軟性を向上させ、データ伝送遅延を低減させるために、５Ｇ  ＮＲシステムでは、ＬＴＥシステムのようにスロット（ｓｌｏｔ）を単位として、リソースのスケジューリングと配置を行うことだけでなく、スロット（ｓｌｏｔ）におけるシンボルを単位として、リソースのスケジューリングと配置を行うことを実現することができ、それはシンボルレベルのリソースのスケジューリングと配置と呼ばれてもよい。
【０００３】
５Ｇ  ＮＲシステムでは、５Ｇ基地局（ｇＮＢ）は伝送チャネルの時間領域リソースに対してシンボルレベルのスケジューリングを行うことができ、しかも時間領域リソースに対してシンボルレベルの配置を動的又は静的に行うことができる。したがって、ｇＮＢの時間領域リソースに対するスケジューリング情報と時間領域リソースに対する配置情報とが衝突する場合、端末が短期間内にチャネルを伝送することができない場合が生じる。
【発明の概要】
【発明が解決しようとする課題】
【０００４】
上記技術的問題を解決するために、本発明の実施例は、スケジューリング情報と配置情報との衝突によって引き起こされる、短期間内に端末がチャネルを伝送することができないことを回避することができる、時間領域リソース確定方法、装置、記憶媒体及びシステムを提供することを望む。
【課題を解決するための手段】
【０００５】
本発明の実施例における技術的解決策は以下のように実現されてもよい。
【０００６】
第一の態様では、本発明の実施例は、時間領域リソース確定方法を提供し、前記方法が端末に応用され、前記方法が
ネットワーク装置から送信されたスケジューリングするための時間領域リソースの割り当て情報を受信し、
ここで、前記スケジューリング待ちの時間領域リソースが、チャネル伝送をしようとする時間領域リソースを含むことと、
設定されたルールによって、アップリンク及びダウンリンク時間領域リソース配置情報及び割り当て情報に基づいて、スケジューリング待ちの時間領域リソースに対応する時間領域位置を確定することと、
スケジューリング待ちの時間領域リソースによって、前記スケジューリング待ちの時間領域リソースに対応する時間領域位置に従って、前記ネットワーク装置とチャネル伝送を行うこととを含む。
【０００７】
第二の態様では、本発明の実施例は、時間領域リソース確定方法を提供し、前記方法がネットワーク装置に応用され、前記方法が
端末へスケジューリングするための時間領域リソースの割り当て情報を送信し、ここで、前記スケジューリング待ちの時間領域リソースが、チャネル伝送をしようとする時間領域リソースを含み、前記割り当て情報が、前記端末が前記スケジューリング待ちの時間領域リソースに対応する時間領域位置を確定することに用いられることと、
前記スケジューリング待ちの時間領域リソースによって、前記スケジューリング待ちの時間領域リソースに対応する時間領域位置に従って、前記端末とチャネル伝送を行うこととを含む。
【０００８】
第三の態様では、本発明の実施例は、端末を提供し、前記端末が受信部、確定部と第一の伝送部を備え、ここで、
前記受信部がネットワーク装置から送信されたスケジューリングするための時間領域リソースの割り当て情報を受信するように構成され、ここで、前記スケジューリング待ちの時間領域リソースが、チャネル伝送をしようとする時間領域リソースを含み、
前記確定部が設定されたルールによって、アップリンク及びダウンリンク時間領域リソース配置情報及び割り当て情報に基づいて、スケジューリング待ちの時間領域リソースに対応する時間領域位置を確定するように構成され、
前記第一の伝送部がスケジューリング待ちの時間領域リソースによって、前記スケジューリング待ちの時間領域リソースに対応する時間領域位置に従って、ネットワーク装置とチャネル伝送を行うように構成される。
【０００９】
第四の態様では、本発明の実施例は送信部、第二の伝送部を備えるネットワーク装置を提供し、ここで、
前記送信部が端末へスケジューリングするための時間領域リソースの割り当て情報を送信するように構成され、ここで、前記スケジューリング待ちの時間領域リソースが、チャネル伝送をしようとする時間領域リソースを含み、前記割り当て情報が、前記端末が前記スケジューリング待ちの時間領域リソースに対応する時間領域位置を確定することに用いられる。
【００１０】
前記第二の伝送部は、前記スケジューリング待ちの時間領域リソースによって、前記スケジューリング待ちの時間領域リソースに対応する時間領域位置に従って、前記端末とチャネル伝送を行うように構成される。
【００１１】
第五の態様では、本発明の実施例はコンピュータ読み取り可能媒体を提供し、前記コンピュータ読み取り可能媒体が時間領域リソースを確定するためのプログラムを記憶し、時間領域リソースを確定するための前記プログラムが少なくとも一つのプロセッサによって実行される時に第一の態様に記載されるステップを実行する。
【００１２】
第六の態様では、本発明の実施例はコンピュータ読み取り可能媒体を提供し、前記コンピュータ読み取り可能媒体が時間領域リソースを確定するためのプログラムを記憶し、時間領域リソースを確定するための前記プログラムが少なくとも一つのプロセッサによって実行される時に第二の態様に記載されるステップを実行する。
【００１３】
第七の態様では、本発明の実施例は第一のネットワークインタフェース、第一のメモリと第一のプロセッサを備える端末を提供し、
ここで、前記第一のネットワークインタフェースが他の外部ネットワーク要素との情報の送受信において、信号を受信及び送信するように構成され、
前記第一のメモリが第一のプロセッサで実行可能なコンピュータプログラムを記憶するように構成され、
前記第一のプロセッサが前記コンピュータプログラムを実行する時に、第一の態様に記載される方法のステップを実行するように構成される。
【００１４】
第八の態様では、本発明の実施例は第二のネットワークインタフェース、第二のメモリと第二のプロセッサを備えるネットワーク装置を提供し、
ここで、前記第二のネットワークインタフェースが他の外部ネットワーク要素との情報の送受信において、信号を受信及び送信するように構成され、
前記第二のメモリが第二のプロセッサで実行可能なコンピュータプログラムを記憶するように構成され、
前記第二のプロセッサが前記コンピュータプログラムを実行する時に、第二の態様に記載される方法のステップを実行するように構成される。
【００１５】
第九の態様では、本発明の実施例は、端末とネットワーク装置を備える時間領域リソース確定システムを提供し、ここで、
前記ネットワーク装置が前記端末へスケジューリングするための時間領域リソースの割り当て情報を送信し、ここで、前記スケジューリング待ちの時間領域リソースが、チャネル伝送をしようとする時間領域リソースを含み、前記割り当て情報が前記スケジューリング待ちの時間領域リソースに対応する時間領域位置を確定するために前記端末によって用いられ、
前記スケジューリング待ちの時間領域リソースによって、前記スケジューリング待ちの時間領域リソースに対応する時間領域位置に従って、前記端末とチャネル伝送を行うように構成され、
前記端末が前記ネットワーク装置から送信されたスケジューリングするための時間領域リソースの割り当て情報を受信し、ここで、前記スケジューリング待ちの時間領域リソースが、チャネル伝送をしようとする時間領域リソースを含み、
設定されたルールによって、アップリンク及びダウンリンク時間領域リソース配置情報及び割り当て情報に基づいて、スケジューリング待ちの時間領域リソースに対応する時間領域位置を確定し、
スケジューリング待ちの時間領域リソースによって、前記スケジューリング待ちの時間領域リソースに対応する時間領域位置に従って、前記ネットワーク装置とチャネル伝送を行うように構成される。
【発明の効果】
【００１６】
本発明の実施例は時間領域リソース確定方法、装置、記憶媒体及びシステムを提供し、端末が基地局と予め協定されたルールによってスケジューリング待ちの時間領域リソースに対応する時間領域位置を確定し続け、これにより、確定された時間領域位置が基地局によってスケジューリング待ちの時間領域リソースを調整したスケジューリング情報と一致し、それによって端末がチャネル伝送を行う時に、時間領域配置情報と衝突して端末が短期間内にチャネル伝送を行うことができないことを回避するだけでなく、端末と基地局がチャネル伝送を行う時のシグナリングオーバーヘッドを節約し、また制御シグナリングの繰り返し送信による誤検出確率の増加を回避する。
【図面の簡単な説明】
【００１７】
【図１】本発明の実施例に係る応用シーンを示す図である。
【図２】本発明の実施例に係る衝突を示す図である。
【図３】本発明の実施例に係る別の衝突を示す図である。
【図４】本発明の実施例に係る時間領域リソース確定方法のフローチャートである。
【図５】本発明の実施例に係るスケジューリング待ちの時間領域リソースの時間領域位置を確定するフローチャートである。
【図６】本発明の実施例に係る別のスケジューリング待ちの時間領域リソースの時間領域位置を確定するフローチャートである。
【図７】本発明の実施例に係る別の時間領域リソース確定方法のフローチャートである。
【図８】本発明の実施例に係る時間領域リソース確定方法の具体的なプロセスを示す図である。
【図９】本発明の実施例に係る別の時間領域リソース確定方法の具体的なプロセスを示す図である。
【図１０】本発明の実施例に係る別の時間領域リソース確定方法の具体的なプロセスを示す図である。
【図１１】本発明の実施例に係る端末の構成図である。
【図１２】本発明の実施例に係る端末のハードウェア構造を示す図である。
【図１３】本発明の実施例に係るネットワーク装置の構成図である。
【図１４】本発明の実施例に係るネットワーク装置のハードウェア構造を示す図である。
【図１５】本発明の実施例に係る時間領域リソース確定システムの構成図である。
【発明を実施するための形態】
【００１８】
本発明の実施例の特徴と技術内容をより詳しく理解することができるために、以下に図面と組み合わせて本発明の実施例の実現を詳しく説明し、添付の図面が例示のみを目的としており、本発明の実施例を限定することに用いられない。
【００１９】
図１を参照すると、それは本発明の実施例の一つの非典型的な応用シーンを示し、該シーンにおいて、ネットワーク装置と端末装置を含むことができ、ネットワーク装置がＬＴＥシステムにおける進化型ノード（ｅＮＢ）であってもよいし、５Ｇ  ＮＲシステムにおける基地局ｇＮＢであってもよく、当然他のネットワーク装置であってもよく、端末装置に移動通信ネットワークへのアクセス機能さえ提供すればよい。端末装置はセルラ電話、スマートフォン、セッション開始プロトコル（ＳＩＰ）電話、ラップトップコンピュータ、パーソナルデジタルアシスタント（ＰＤＡ）、衛星ラジオ、全地球測位システム、マルチメディア装置、ビデオデバイス、デジタルオーディオプレーヤ（例えば、ＭＰ３プレーヤ）、カメラ、ゲーム機、タブレットコンピュータ、又は類似の機能を有する他の任意の装置を含むことができる。これと同時に、端末装置はさらにユーザ装置、端末、移動局、加入者局、移動ユニット、加入者ユニット、無線ユニット、遠隔ユニット、移動装置、無線装置、無線通信装置、遠隔装置、移動加入者局、アクセス端末、移動端末、無線端末、遠隔端末、ハンドヘルドデバイス、ユーザエージェント、移動クライアント、クライアント又はいくつかの他の適切な用語として当業者によって呼ばれてもよい。
【００２０】
図１に示す応用シーンと組み合わせ、マルチスロット（ｍｕｌｔｉ−ｓｌｏｔ）又はスロット集約（ｓｌｏｔ  ａｇｇｒｅｇａｔｉｏｎ）スケジューリングを行う場合、基地局は、複数のスロット（ｓｌｏｔ）のそれぞれにおける、チャネルを伝送するための開始シンボル及び終止シンボルに対して配置を行うことができ、それによってシンボルレベルの配置を実現する。また、基地局はチャネルを伝送するためのスロット（ｓｌｏｔ）に対してシンボルレベルのスケジューリングを行うことができる。本発明の実施例では、伝送待ちチャネルは物理ダウンリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）と物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）などのデータチャネルを含むことができ、さらに物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）と物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）などの制御チャネルを含むことができる。本発明の実施例の技術的解決策を明確に説明するために、本発明の実施例は好ましくダウンリンクデータチャネル、例えばＰＤＳＣＨを例として説明する。理解できるものとして、当業者は、ダウンリンクデータチャネルの案内の下で、本発明の実施例の技術的解決策を他のタイプのチャネルに適用することができる。
【００２１】
時間領域リソース、例えばスロット（ｓｌｏｔ）のシンボルレベルスケジューリングとシンボルレベル配置が衝突する場合、端末は短期間内にチャネルを伝送することができない。具体的な衝突状況は少なくとも２つの例を含むことができる。
【００２２】
状況例１
図２に示すように、伝送待ちチャネルがダウンリンクデータチャネル、例えばＰＤＳＣＨであることを例とし、基地局（ｇＮＢ）は、４つのスロットのそれぞれにおける一部のシンボルリソースをスケジューリングしてダウンリンクデータチャネルを伝送し、それぞれは、スロット０、スロット１、スロット２とスロット３である。各スロットの長さがいずれも１４つのシンボルであるが、以上の４つのスロットをスケジューリングしてＰＤＳＣＨを伝送する時に、スロットにおける全てのシンボルを占有する必要がない。他方では、基地局は、端末のために時間領域リソースのシンボルレベル配置を行う時に、図２の充填ブロックによって示されるように、スロット２の全てのシンボルをアップリンクチャネルの伝送用に配置する。この時、スロット２のスケジューリングリソースは、全体として、図２の交差線で充填して示される衝突エリアのように、スロット２に対する配置リソースと衝突する。
【００２３】
状況例２
図３に示すように、伝送待ちチャネルがダウンリンクデータチャネル、例えばＰＤＳＣＨであることを例とし、基地局（ｇＮＢ）は、４つのスロットのそれぞれにおける一部のシンボルリソースをスケジューリングしてダウンリンクデータチャネルを伝送し、それぞれはスロット０、スロット１、スロット２とスロット３である。各スロットの長さがいずれも１４つのシンボルであるが、以上の４つのスロットをスケジューリングしてＰＤＳＣＨを伝送する時に、スロットにおける全てのシンボルを占有する必要がない。他方では、基地局は、端末のために時間領域リソースのシンボルレベル配置を行う時に、図３の充填ブロックによって示されるように、スロット２の一部のシンボルをアップリンクチャネルの伝送用に配置する。この時、スロット２のスケジューリングリソースの一部のシンボルは、図３の交差線で充填して示される衝突エリアのように、スロット２に対する配置リソースと衝突する。
【００２４】
具体的な衝突状況が上記の２つの例に限定されず、基地局が以上に説明される衝突に接する場合、衝突を解決するために、時間領域リソースのスケジューリングを行う時に、スケジューリング待ちの時間領域リソースを調整し、衝突を回避する。しかし、基地局がスケジューリング待ちの時間領域リソースを調整した後に、伝送する時に端末へ調整された時間領域リソースのスケジューリング状態を通知する必要があり、したがって、大量のシグナリングオーバーヘッドが発生し、しかも基地局が制御シグナリングによって端末へ時間領域リソースのスケジューリング調整を複数回通知する必要がある場合、端末による制御シグナリングの誤検出の確率が上がる。本発明の実施例における技術的な解決策は、基地局がスケジューリング待ちの時間領域リソースを調整した後、端末へ通知する時のシグナリングオーバーヘッドを削減し、制御シグナリングの検出の信頼性を向上させることができる。
【００２５】
実施例１
図４を参照し、それが本発明の実施例に係る時間領域リソース確定方法を示し、該方法が端末に応用されてもよく、該方法がＳ４０１、Ｓ４０２、Ｓ４０３を含むことができる。
【００２６】
Ｓ４０１において、ネットワーク装置から送信されたスケジューリングするための時間領域リソースの割り当て情報を受信し、
ここで、前記スケジューリング待ちの時間領域リソースが、チャネル伝送をしようとする時間領域リソースを含む。
【００２７】
Ｓ４０２において、設定されたルールによって、アップリンク及びダウンリンク時間領域リソース配置情報及び割り当て情報に基づいて、スケジューリング待ちの時間領域リソースに対応する時間領域位置を確定する。
【００２８】
Ｓ４０３において、スケジューリング待ちの時間領域リソースによって、前記スケジューリング待ちの時間領域リソースに対応する時間領域位置に従って、ネットワーク装置とチャネル伝送を行う。
【００２９】
説明すべきものとして、前記チャネルは、物理ダウンリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）と物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）などのデータチャネルを含むことができ、さらに物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）と物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）などの制御チャネルを含むことができる。
【００３０】
理解できるものとして、設定されたルールは、端末が基地局（ｇＮＢ）などのネットワーク装置と事前に協商して一致する確定ルールであってもよい。基地局（ｇＮＢ）は、時間領域リソースのスケジューリングと時間領域リソースの配置が衝突した後に、時間領域リソースのスケジューリングを調整して衝突を回避することができ、基地局（ｇＮＢ）の具体的な調整方式又は手段は、該確定ルールによって表されることができ、したがって、端末が設定されたルールを知るようになった場合、基地局（ｇＮＢ）と同じ調整を行うことができ、それによって基地局（ｇＮＢ）は、時間領域リソースのスケジューリングを調整した後、端末に通知する必要がなく、端末と基地局（ｇＮＢ）の間のシグナリングオーバーヘッドを削減する。
【００３１】
図４に示す技術的解決策に対して、一つの可能な実施形態では、スケジューリングするための時間領域リソースの割り当て情報は、ダウンリンク制御情報（ＤＣＩ：Ｄｏｗｎｌｉｎｋ  Ｃｏｎｔｒｏｌ  Ｉｎｆｏｒｍａｔｉｏｎ）に搬送されてもよい。理解できるものとして、ＤＣＩが動的に配置されてもよく、これにより、基地局（ｇＮＢ）は割り当て情報を端末にタイムリーに送信することができ、それによって端末装置はスケジューリング待ちの時間領域リソースの位置をタイムリーに確定し、衝突の発生を回避することができる。
【００３２】
図４に示す技術的解決策に対して、一つの可能な実施形態では、さらに前記ネットワーク装置から送信されたアップリンク及びダウンリンク時間領域リソース配置情報を受信することを含むことができ、ここで、アップリンク及びダウンリンク時間領域リソース配置情報が、利用可能な時間領域リソースのスロットレベル位置情報及び／又はシンボルレベル位置情報を含む。時間領域リソースのスロットを単位とする位置を示すことに用いられる場合、時間領域リソースのスロットレベル位置情報と呼ばれ、時間領域リソースのシンボルを単位とする位置情報を示すことに用いられる場合、時間領域リソースのシンボルレベル位置情報と呼ばれることを、説明する必要がある。
【００３３】
具体的には、アップリンク及びダウンリンクリソース配置情報は予め定義された情報であってもよいし、無線リソース制御（ＲＲＣ：Ｒａｄｉｏ  Ｒｅｓｏｕｒｃｅ  Ｃｏｎｔｒｏｌ）シグナリング及び／又はＤＣＩに搬送されてもよく、具体的に実現する時に、フレーム構造情報及び／又はスロットフォーマットインジケータ（ＳＦＩ：Ｓｌｏｔ  Ｆｏｒｍａｔ  Ｉｎｄｉｃａｔｏｒ）であってもよい。
【００３４】
図４に示す技術的解決策に対して、前記スケジューリングするための時間領域リソースの割り当て情報は、基地局（ｇＮＢ）がスケジューリング待ちの時間領域リソースを調整した後のスケジューリング情報ではなく、スケジューリング待ちの時間領域リソースに対する説明情報であり、端末は、スケジューリング待ちの時間領域リソースに対する説明情報を知った後、取得された、基地局（ｇＮＢ）と協商して一致するルールによってスケジューリング待ちの時間領域リソースに対応する時間領域位置を確定し、これにより、端末によって最終的に確定されたスケジューリング待ちの時間領域リソースに対応する時間領域位置が、基地局（ｇＮＢ）がスケジューリング待ちの時間領域リソースを調整した後のスケジューリング情報と一致し、したがって、基地局がチャネル伝送プロセスにおいて、スケジューリング待ちの時間領域リソースを調整したスケジューリング情報を端末に通知する必要がなく、チャネル伝送プロセスにおける基地局（ｇＮＢ）と端末の間のシグナリングオーバーヘッドを節約し、また制御シグナリングの繰り返し送信による誤検出確率の増加を回避する。
【００３５】
したがって、本実施例では、スケジューリングするための時間領域リソースの割り当て情報は非典型的に時間領域リソースのスケジューリングに対する説明情報の次の２つの状況を含む。
【００３６】
第一の状況において、
スケジューリングするための時間領域リソースの割り当て情報は、スケジューリング待ちの時間領域リソースの数量情報を含み、具体的には、前記スケジューリング待ちの時間領域リソースの数量情報が前記スケジューリング待ちの時間領域リソースに対するスロットレベルの数量情報及び／又は前記スケジューリング待ちの時間領域リソースに対するシンボルレベルの数量情報を含む。時間領域リソースのスロットを単位とする数量を示すことに用いられる場合、時間領域リソースのスロットレベルの数量情報と呼ばれ、時間領域リソースのシンボルを単位とする数量情報を示すことに用いられる場合、時間領域リソースのシンボルレベルの数量情報と呼ばれることを、説明する必要がある。
【００３７】
それに対応して、スケジューリングするための時間領域リソースの割り当て情報がスケジューリング待ちの時間領域リソースの数量情報を含む場合、図５を参照し、Ｓ４０２に記載される、設定されたルールによって、アップリンク及びダウンリンク時間領域リソース配置情報及び前記割り当て情報に基づいて、前記スケジューリング待ちの時間領域リソースに対応する時間領域位置を確定することは、
Ｓ４０２１Ａにおいて、アップリンク及びダウンリンク時間領域リソース配置情報に基づいて、前記スケジューリング待ちの時間領域リソースのための候補時間領域リソースを確定し、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であることと、
Ｓ４０２２Ａにおいて、前記スケジューリング待ちの時間領域リソースを前記候補時間領域リソースに順次充填し、前記スケジューリング待ちの時間領域リソースに対応する時間領域位置を確定することとを含むことができる。
【００３８】
説明すべきものとして、端末は、スケジューリング待ちの時間領域リソースの数量情報を知った後、アップリンク及びダウンリンク時間領域リソース配置情報と衝突しない候補時間領域リソースを確定し、その後スケジューリング待ちの時間領域リソースを候補時間領域リソースに順次充填することができ、理解可能に、スケジューリング待ちの時間領域リソースの数量情報がスロットレベルの数量情報及び／又はシンボルレベルの数量情報であってもよく、そのため、端末は候補時間領域リソースを確定する時に、スロットレベル及び／又はシンボルレベルに従って候補時間領域リソースを確定することもできる。端末が上記プロセスに従って前記スケジューリング待ちの時間領域リソースに対応する時間領域位置を確定した場合、基地局（ｇＮＢ）がスケジューリング待ちの時間領域リソースを調整した後のスケジューリング情報と一致するため、チャネル伝送プロセスにシグナリングインタラクションを行って調整されたスケジューリング情報を端末に通知する必要がなく、基地局（ｇＮＢ）と端末の間のシグナリングオーバーヘッドを節約し、また制御シグナリングの繰り返し送信による誤検出確率の増加を回避する。
【００３９】
第二の状況において、
スケジューリングするための時間領域リソースの割り当て情報は、スケジューリング待ちの時間領域リソースの数量情報及び各スケジューリング待ちの時間領域リソースに対する予選位置情報を含む。理解すべきものとして、上記数量情報と位置情報はいずれもスロットレベル及び／又はシンボルレベルの数量情報と位置情報であってもよく、ここで説明を省略する。
【００４０】
それに対応して、スケジューリングするための時間領域リソースの割り当て情報がスケジューリング待ちの時間領域リソースの数量情報及びスケジューリング待ちの時間領域リソースに対する予選位置情報を含む場合、図６を参照し、Ｓ４０２に記載される、設定されたルールによって、アップリンク及びダウンリンク時間領域リソース配置情報及び前記割り当て情報に基づいて、前記スケジューリング待ちの時間領域リソースに対応する時間領域位置を確定することは、下記のステップを含む。
【００４１】
Ｓ４０２１Ｂにおいて、アップリンク及びダウンリンク時間領域リソース配置情報に基づいて、各スケジューリング待ちの時間領域リソースの予選位置情報から、衝突する時間領域リソース位置を確定し、ここで、前記衝突する時間領域リソース位置がアップリンク及びダウンリンク時間領域リソース配置情報内の前記スケジューリング待ちの時間領域リソースのチャネル伝送方向と反対する時間領域リソース位置である。
【００４２】
Ｓ４０２２Ｂにおいて、予選位置内の衝突する時間領域リソース位置を、前記衝突する時間領域リソース位置に最も近い非衝突の時間領域リソース位置に後方へ移動し、理解可能に、非衝突の時間領域リソース位置がアップリンク及びダウンリンク時間領域リソース配置情報内の前記スケジューリング待ちの時間領域リソースのチャネル伝送方向と同じ時間領域リソース位置である。
【００４３】
Ｓ４０２３Ｂにおいて、予選位置内の前記衝突する時間領域リソース位置の後の予選位置を、前記衝突する時間領域リソース位置の後方移動距離に従って、後方へ移動する。
【００４４】
Ｓ４０２４Ｂにおいて、アップリンク及びダウンリンク時間領域リソース配置情報に基づき、後方へ移動した後の予選位置に衝突する時間領域リソース位置が存在するか否かを判定し、存在する場合、ステップＳ４０２２Ｂを実行し、後方へ移動した後の予選位置に衝突する時間領域リソース位置が存在しないようになるまで続き、そしてステップＳ４０２５Ｂを実行し、存在しない場合、ステップＳ４０２５Ｂを実行する。
【００４５】
Ｓ４０２５Ｂにおいて、前記スケジューリング待ちの時間領域リソースを後方へ移動した後の予選位置に順次充填し、前記スケジューリング待ちの時間領域リソースに対応する時間領域位置を確定する。
【００４６】
理解できるものとして、スケジューリング待ちの時間領域リソースのスロットにおけるプリセット位置が時間領域配置情報におけるスロット位置全体と衝突する場合、衝突するプリセット位置を最も近い非衝突のスロット位置に後方へ移動し、衝突するプリセット位置の後のプリセット位置を衝突するプリセット位置の後方移動距離に従って後方へ移動し、それによって衝突を回避することができる。
【００４７】
また、位置情報がシンボルレベルの位置情報であってもよいため、スケジューリング待ちの時間領域リソースのスロットにおけるプリセット位置が時間領域配置情報におけるスロット位置の一部と衝突する場合、プリセット位置の衝突するシンボルを上記プロセスに従って後方へ移動し、衝突するプリセット位置の後のプリセット位置を衝突するプリセット位置の後方移動距離に従って後方へ移動し、他の衝突しないプリセット位置が変化しない。
【００４８】
本発明の実施例に係る時間領域リソース確定方法では、端末が基地局と予め協定されたルールによってスケジューリング待ちの時間領域リソースに対応する時間領域位置を確定し続け、これにより、確定された時間領域位置が基地局によってスケジューリング待ちの時間領域リソースを調整したスケジューリング情報と一致し、それによって端末がチャネル伝送を行う時に、時間領域配置情報と衝突して端末が短期間内にチャネル伝送を行うことができないことを回避するだけでなく、端末と基地局がチャネル伝送を行う時のシグナリングオーバーヘッドを節約し、また制御シグナリングの繰り返し送信による誤検出確率の増加を回避する。
【００４９】
実施例２
上記実施例の同じ発明概念に基づき、図７を参照し、それが本発明の実施例に係る時間領域リソース確定方法のプロセスを示し、該方法がネットワーク装置、例えば基地局（ｇＮＢ）に応用されてもよく、該方法がＳ７０１、Ｓ７０２を含むことができる。
【００５０】
Ｓ７０１において、端末へスケジューリングするための時間領域リソースの割り当て情報を送信し、
ここで、前記スケジューリング待ちの時間領域リソースが、チャネル伝送をしようとする時間領域リソースを含み、前記割り当て情報が、前記端末が前記スケジューリング待ちの時間領域リソースに対応する時間領域位置を確定することに用いられる。
【００５１】
Ｓ７０２において、前記スケジューリング待ちの時間領域リソースによって、前記スケジューリング待ちの時間領域リソースに対応する時間領域位置に従って、前記端末とチャネル伝送を行う。
【００５２】
説明すべきものとして、前記チャネルは、物理ダウンリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）と物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）などのデータチャネルを含むことができ、さらに物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）と物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）などの制御チャネルを含むことができる。
【００５３】
理解できるものとして、基地局は、時間領域リソースのスケジューリング情報と配置情報が図２又は図３に示すように衝突することを発見した後、時間領域リソースのスケジューリング情報を調整して衝突を回避することができ、端末は基地局と予め協商した確定ルールによってスケジューリング待ちの時間領域リソースの位置情報を確定し、基地局（ｇＮＢ）と同じ調整を行うことができ、即ち、端末によって確定されたスケジューリング待ちの時間領域リソースに対応する時間領域位置が基地局（ｇＮＢ）によってスケジューリング待ちの時間領域リソースを調整したスケジューリング情報と一致する。したがって、基地局は、前記スケジューリング待ちの時間領域リソースによって、前記スケジューリング待ちの時間領域リソースに対応する時間領域位置に従って、前記端末とチャネル伝送を行うことができ、これにより、スケジューリング情報と配置情報との衝突によって端末が短期間内にチャネル伝送を行うことができないことを回避するだけでなく、端末に通知する必要がなく、端末と基地局（ｇＮＢ）の間のシグナリングオーバーヘッドを削減し、制御シグナリングの繰り返し送信による誤検出確率の増加を回避する。
【００５４】
一つの可能な実施形態では、スケジューリングするための時間領域リソースの割り当て情報はダウンリンク制御情報（ＤＣＩ：Ｄｏｗｎｌｉｎｋ  Ｃｏｎｔｒｏｌ  Ｉｎｆｏｒｍａｔｉｏｎ）に搬送されてもよい。理解できるものとして、ＤＣＩが動的に配置されてもよく、これにより、基地局（ｇＮＢ）は割り当て情報を端末にタイムリーに送信することができ、それによって端末装置はスケジューリング待ちの時間領域リソースの位置をタイムリーに確定し、衝突の発生を回避することができる。
【００５５】
一つの可能な実施形態では、さらに端末へアップリンク及びダウンリンク時間領域リソース配置情報を送信することを含むことができ、ここで、アップリンク及びダウンリンク時間領域リソース配置情報が、利用可能な時間領域リソースのスロットレベル位置情報及び／又はシンボルレベル位置情報を含む。時間領域リソースのスロットを単位とする位置を示すことに用いられる場合、時間領域リソースのスロットレベル位置情報と呼ばれ、時間領域リソースのシンボルを単位とする位置情報を示すことに用いられる場合、時間領域リソースのシンボルレベル位置情報と呼ばれることを、説明する必要がある。
【００５６】
具体的には、アップリンク及びダウンリンクリソース配置情報は、予め定義された情報であってもよいし、無線リソース制御（ＲＲＣ：Ｒａｄｉｏ  Ｒｅｓｏｕｒｃｅ  Ｃｏｎｔｒｏｌ）シグナリング及び／又はＤＣＩに搬送されてもよく、具体的に実現する時に、フレーム構造情報及び／又はスロットフォーマットインジケータ（ＳＦＩ：Ｓｌｏｔ  Ｆｏｒｍａｔ  Ｉｎｄｉｃａｔｏｒ）であってもよい。
【００５７】
図７に示す技術的解決策に対して、説明すべきものとして、前記スケジューリングするための時間領域リソースの割り当て情報は、基地局（ｇＮＢ）がスケジューリング待ちの時間領域リソースを調整した後のスケジューリング情報ではなく、スケジューリング待ちの時間領域リソースに対する説明情報であり、端末は、スケジューリング待ちの時間領域リソースに対する説明情報を知った後、取得された、基地局（ｇＮＢ）と協商して一致する確定ルールによってスケジューリング待ちの時間領域リソースに対応する時間領域位置を確定し、これにより、端末によって最終的に確定されたスケジューリング待ちの時間領域リソースに対応する時間領域位置が、基地局（ｇＮＢ）によってスケジューリング待ちの時間領域リソースを調整したスケジューリング情報と一致し、したがって、基地局がチャネル伝送プロセスにおいて、スケジューリング待ちの時間領域リソースを調整したスケジューリング情報を端末に通知する必要がなく、チャネル伝送プロセスにおける基地局（ｇＮＢ）と端末の間のシグナリングオーバーヘッドを節約する。したがって、非典型的な例として、スケジューリングするための時間領域リソースの割り当て情報は、スケジューリング待ちの時間領域リソースの数量情報を含み、又は、スケジューリングするための時間領域リソースの割り当て情報は、スケジューリング待ちの時間領域リソースの数量情報及び各スケジューリング待ちの時間領域リソースに対する予選位置情報を含む。
【００５８】
本実施例に係る時間領域リソース確定方法では、ネットワーク装置は、端末へスケジューリングするための時間領域リソースの割り当て情報を送信し、これにより、端末はスケジューリング待ちの時間領域リソースに対応する時間領域位置を確定し、それによって前記スケジューリング待ちの時間領域リソースによって、前記スケジューリング待ちの時間領域リソースに対応する時間領域位置に従って、前記端末とチャネル伝送を行うことができ、これにより、スケジューリング情報と配置情報との衝突によって端末が短期間内にチャネル伝送を行うことができないことを回避するだけでなく、端末に通知する必要がなく、端末と基地局（ｇＮＢ）の間のシグナリングオーバーヘッドを削減し、制御シグナリングの繰り返し送信による誤検出確率の増加を回避する。
【００５９】
実施例３
上記実施例の同じ発明概念に基づき、本実施例は以下の具体的な例で上記実施例の技術的解決策を説明する。説明すべきものとして、以下の具体的な例は、いずれもスケジューリング待ちの時間領域リソースがダウンリンクデータチャネル例えばＰＤＳＣＨの伝送に用いられることを例として説明し、ネットワーク装置は、基地局（ｇＮＢ）を例とする。理解できるものとして、実際に応用する時に、スケジューリング待ちの時間領域リソースはアップリンクデータチャネル例えばＰＵＳＣＨ、アップリンク又はダウンリンク制御チャネル例えばＰＤＣＣＨ又はＰＵＣＣＨの伝送に用いられてもよく、本実施例における具体的な例において説明を省略する。
【００６０】
具体的な例１
図８を例とすると、説明すべきものとして、図８における第１行が図８に示す情報である。
【００６１】
基地局（ｇＮＢ）は端末へスケジューリングするための時間領域リソースの割り当て情報を送信し、該割り当て情報がＤＬ  ｇｒａｎｔであってもよく、図８における第２行の灰色のブロックに示すように、該割り当て情報にスケジューリング待ちの時間領域リソースの数量情報が含まれる。数量情報がスロットレベルであってもよいし、シンボルレベルであってもよいし、したがって、スケジューリング待ちの時間領域リソースの数量が合計２つのスロットといくつかのシンボルであり、本実施例では、前記いくつかのシンボルが１０つのシンボルを例として説明される。したがって、端末はケジューリング待ち時間領域リソースの数量情報を知った後、図３の第３行の灰色のブロックの分布に示すように、知られたアップリンク及びダウンリンク時間領域リソース配置情報に基づいて、候補時間領域リソースを確定し、説明すべきものとして、アップリンク及びダウンリンク時間領域リソース配置情報が具体的にＤＬ／ＵＬ  ａｓｓｉｇｎｍｅｎｔであってもよい。図８における第４行に示すアップリンク及びダウンリンク時間領域リソース配置情報から分かるように、スロット１の後のいくつかのシンボル及びスロット２全体はいずれもアップリンクチャネルの伝送又は他の時間領域リソース領域に用いられ、ＰＤＳＣＨの伝送に対して衝突する。したがって、端末は候補時間領域リソースを確定する時に、衝突する領域を回避し、その後、端末はスケジューリング待ちの時間領域リソースを候補時間領域リソースに順次分布し、それによってＰＤＳＣＨを伝送するための時間領域リソースの時間領域位置を確定する。
【００６２】
具体的な例２
図９を例とすると、説明すべきものとして、図９における第１行が図９に示す情報である。
【００６３】
基地局（ｇＮＢ）は端末へスケジューリングするための時間領域リソースの割り当て情報を送信し、該割り当て情報がＤＬ  ｇｒａｎｔであってもよく、図９における第２行に示すように、該割り当て情報にスケジューリング待ちの時間領域リソースの数量情報だけでなく、各スケジューリング待ちの時間領域リソースに対する予選位置情報が含まれる。端末は、割り当て情報を受信した後、予選位置情報を図９における第４行に示す既知のアップリンク及びダウンリンク時間領域リソース配置情報と比較し、スロット２がアップリンクチャネルの伝送又は他の時間領域リソース領域に用いられ、ＰＤＳＣＨの伝送に対して衝突することを発見する。したがって、図９における第３行に示すように、端末はスロット２に対応する、衝突するプリセット位置をスロット２に最も近い非衝突位置、即ちスロット３に後方へ移動し、衝突するプリセット位置の後のプリセット位置を衝突するプリセット位置に従って後方へ移動し、衝突を回避する。予選位置の後方移動が完了された場合、端末は、スケジューリング待ちの時間領域リソースを後方移動が完了された予選位置に順次充填し、それによってスケジューリング待ちリソースに対応する時間領域位置を確定する。
【００６４】
具体的な例３
図１０を例とすると、説明すべきものとして、図１０における第１行が図１０に示す情報である。
【００６５】
具体的な例と同様に、基地局（ｇＮＢ）は端末へスケジューリングするための時間領域リソースの割り当て情報を送信し、該割り当て情報がＤＬ  ｇｒａｎｔであってもよく、図１０における第２行に示すように、該割り当て情報にスケジューリング待ちの時間領域リソースの数量情報だけでなく、各スケジューリング待ちの時間領域リソースに対する予選位置情報が含まれる。端末は、割り当て情報を受信した後、予選位置情報を図１０における第４行に示す既知のアップリンク及びダウンリンク時間領域リソース配置情報と比較する。しかし、本具体的な例では、スロット２の後部分がスケジューリング待ちの時間領域リソースの一部のプリセット位置と衝突し、したがって、図１０に示すように、端末は、プリセット位置の衝突するシンボルを、最も近い非衝突のスロット位置に後方へ移動し、衝突するプリセット位置の後のプリセット位置を衝突するプリセット位置の後方移動距離に従って後方へ移動し、他の衝突しないプリセット位置が変化しなく、衝突を回避する。予選位置の後方移動が完了された場合、端末は、依然として具体的な例２に記載されるプロセスに従ってスケジューリング待ちの時間領域リソースを後方移動が完了された予選位置に順次充填し、それによってスケジューリング待ちリソースに対応する時間領域位置を確定する。
【００６６】
以上の３つの具体的な例は上記実施例の技術的解決策の具体的な実現を詳細に説明し、これから分かるように、端末は基地局から送信された割り当て情報によってスケジューリング待ちの時間領域リソースの時間領域位置を確定することができ、それによって衝突を回避し、且つ、端末によって確定された結果が、基地局がスケジューリングを調整した後の結果と一致し、したがって、端末と基地局はチャネル伝送を行う時に、シグナリングインタラクションによって基地局の時間領域リソースのスケジューリングの調整結果を知る必要がなく、シグナリングオーバーヘッドを節約し、また制御シグナリングの繰り返し送信による誤検出確率の増加を回避する。
【００６７】
実施例４
上記実施例と同じ発明概念に基づき、図１１を参照し、それが本発明の実施例に係る端末１１０の構造を示し、該端末１１０が受信部１１０１、確定部１１０２と第一の伝送部１１０３を備え、ここで、
前記受信部１１０１がネットワーク装置から送信されたスケジューリングするための時間領域リソースの割り当て情報を受信するように構成され、ここで、前記スケジューリング待ちの時間領域リソースが、チャネル伝送をしようとする時間領域リソースを含み、
前記確定部１１０２が設定されたルールによって、アップリンク及びダウンリンク時間領域リソース配置情報及び割り当て情報に基づいて、スケジューリング待ちの時間領域リソースに対応する時間領域位置を確定するように構成され、
前記第一の伝送部１１０３がスケジューリング待ちの時間領域リソースによって、前記スケジューリング待ちの時間領域リソースに対応する時間領域位置に従って、ネットワーク装置とチャネル伝送を行うように構成される。
【００６８】
一つの可能な実施形態では、前記スケジューリングするための時間領域リソースの割り当て情報は、スケジューリング待ちの時間領域リソースの数量情報を含む。
【００６９】
上記実施形態では、前記確定部１１０２は、
アップリンク及びダウンリンク時間領域リソース配置情報に基づいて、前記スケジューリング待ちの時間領域リソースのための候補時間領域リソースを確定し、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であり、
前記スケジューリング待ちの時間領域リソースを前記候補時間領域リソースに順次充填し、前記スケジューリング待ちの時間領域リソースに対応する時間領域位置を確定するように構成される。
【００７０】
一つの可能な実施形態では、前記スケジューリングするための時間領域リソースの割り当て情報は、スケジューリング待ちの時間領域リソースの数量情報及び各スケジューリング待ちの時間領域リソースに対する予選位置情報を含む。
【００７１】
上記実施形態では、前記確定部１１０２は、
アップリンク及びダウンリンク時間領域リソース配置情報に基づいて、各スケジューリング待ちの時間領域リソースの予選位置情報から、衝突する時間領域リソース位置を確定するステップ１であって、ここで、前記衝突する時間領域リソース位置が、時間領域リソース配置情報内の、前記スケジューリング待ちの時間領域リソースのチャネル伝送方向と反対する時間領域リソース位置である、ステップ１と、
予選位置内の衝突する時間領域リソース位置を、前記衝突する時間領域リソース位置に最も近い非衝突の時間領域リソース位置に後方へ移動する、ステップ２と、
予選位置内の前記衝突する時間領域リソース位置の後の予選位置を、前記衝突する時間領域リソース位置の後方移動距離に従って、後方へ移動する、ステップ３と、
アップリンク及びダウンリンク時間領域リソース配置情報に基づき、後方へ移動した後の予選位置に衝突する時間領域リソース位置が存在するか否かを判定し、存在する場合、ステップ２を実行し、後方へ移動した後の予選位置に衝突する時間領域リソース位置が存在しないようになるまで続き、そしてステップ５を実行し、存在しない場合、ステップ５を実行する、ステップ４と、
前記スケジューリング待ちの時間領域リソースを、後方へ移動した後の予選位置に順次充填し、前記スケジューリング待ちの時間領域リソースに対応する時間領域位置を確定する、ステップ５と、を実行するように構成される。
【００７２】
一つの可能な実施形態では、前記受信部１１０１は、さらに前記ネットワーク装置から送信されたアップリンク及びダウンリンク時間領域リソース配置情報を受信するように構成され、ここで、前記アップリンク及びダウンリンク時間領域リソース配置情報が、利用可能な時間領域リソースのスロットレベル位置情報及び／又はシンボルレベル位置情報を含む。
【００７３】
一つの可能な実施形態では、前記チャネルはデータチャネル又は制御チャネルを含む。
【００７４】
一つの可能な実施形態では、前記スケジューリングするための時間領域リソースの割り当て情報は、ダウンリンク制御情報（ＤＣＩ）に搬送される。
【００７５】
一つの可能な実施形態では、前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送される。
【００７６】
上記実施形態では、前記アップリンク及びダウンリンク時間領域リソース配置情報は、フレーム構造情報及び／又はスロットフォーマットインジケータ（ＳＦＩ）である。
【００７７】
理解できるものとして、本実施例では、「部分」は、部分の回路、部分のプロセッサ、部分プログラム又はソフトウェアなどであってもよく、当然ユニットであってもよく、またモジュールであってもよいし、非モジュール化であってもよい。
【００７８】
また、本実施例における各構成部は一つの処理ユニットに統合されてもよく、個々のユニットは単独で物理的に存在してもよく、二つ又は二つ以上のユニットは一つのユニットに統合されてもよい。上記の統合されたユニットはハードウェアの形態で実現されてもよいし、ソフトウェア機能モジュールの形態で実現されてもよい。
【００７９】
前記統合されたユニットは、ソフトウェア機能モジュールの形態で実現され、独立した製品として販売又は使用されない場合、一つのコンピュータ読み取り可能記憶媒体に記憶されてもよく、このような理解に基づき、本実施例の技術的解決策は、本質的に又は従来技術に寄与する部分又は該技術的解決策の全て又は部分がソフトウェア製品の形で実現されてもよく、該コンピュータソフトウェア製品がコンピュータ装置（パーソナルコンピュータ、サーバ、又はネットワークデバイス等であってもよい）又はプロセッサ（ｐｒｏｃｅｓｓｏｒ）に本実施例に記載される方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００８０】
したがって、本実施例はコンピュータ読み取り可能媒体を提供し、該コンピュータ読み取り可能媒体が時間領域リソースを確定するためのプログラムを記憶し、時間領域リソースを確定するための前記プログラムが少なくとも一つのプロセッサによって実行される時に上記実施例１に記載される方法のステップを実施する。
【００８１】
上記端末１１０とコンピュータ読み取り可能媒体に基づき、図１２を参照し、それが本発明に係る端末１１０の具体的なハードウェア構造を示し、該端末１１０が第一のネットワークインタフェース１２０１、第一のメモリ１２０２と第一のプロセッサ１２０３を備えることができ、各部材がバスシステム１２０４を介して結合される。理解できるものとして、バスシステム１２０４はこれらの部材間の接続通信を実現することに用いられる。バスシステム１２０４はデータバス以外、電源バス、制御バスと状態信号バスを含む。しかしながら、説明を明確にするために、図１２では様々なバスシステムがバスシステム１２０４として標識される。ここで、第一のネットワークインタフェース１２０１が他の外部ネットワーク要素との情報の送受信において、信号を受信及び送信するように構成され、
第一のメモリ１２０２が第一のプロセッサ１２０３で実行可能なコンピュータプログラムを記憶するように構成され、
第一のプロセッサ１２０３は、前記コンピュータプログラムを実行する時に、ネットワーク装置から送信されたスケジューリングするための時間領域リソースの割り当て情報を受信し、ここで、前記スケジューリング待ちの時間領域リソースが、チャネル伝送をしようとする時間領域リソースを含み、
設定された確定ルールによって、アップリンク及びダウンリンク時間領域リソース配置情報及び割り当て情報に基づいて、スケジューリング待ちの時間領域リソースに対応する時間領域位置を確定し、
スケジューリング待ちの時間領域リソースによって、前記スケジューリング待ちの時間領域リソースに対応する時間領域位置に従って、前記ネットワーク装置とチャネル伝送を行うように構成される。
【００８２】
理解できるものとして、本発明の実施例における第一のメモリ１２０２は揮発性記憶装置又は不揮発性記憶装置であってもよく、又は揮発性記憶装置及び不揮発性記憶装置両者を含むことができる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲＲＡＭ：Ｄｉｒｅｃｔ  Ｒａｍｂｕｓ  ＲＡＭ）である。本明細書に記載されるシステムと方法における第一のメモリ１２０２は、これらといずれかの他の適切なタイプのメモリを含むことを図るがこれらに限定されない。
【００８３】
第一のプロセッサ１２０３は信号処理機能を有する集積回路チップである可能性がある。実施プロセスでは、上記方法の各ステップは、第一のプロセッサ１２０３内のハードウェアの集積論理回路又はソフトウェアの形の命令によって完されてもよい。上記第一のプロセッサ１２０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体は第一のメモリ１２０２に位置し、第一のプロセッサ１２０３は第一のメモリ１２０２における情報を読み取り、そのハードウェアと組み合わせて上記方法のステップを完了する。
【００８４】
理解できるものとして、本明細書に記載されるこれらの実施例は、ハードウェア、ソフトウェア、ファームウェア、ミドルウェア、マイクロコード又はそれらの組み合わせで実現されてもよい。ハードウェアで実現される場合、処理ユニットは、一つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理装置（ＤＳＰＤ：ＤＳＰ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、汎用プロセッサ、コントローラ、マイクロコントローラ、マイクロプロセッサ、本出願に記載される機能を実行するための他の電子ユニット又はその組み合わせで実現されてもよい。
【００８５】
ソフトウェアで実現される場合、本明細書で記載される機能を実行するためのモジュール（例えばプロセス、関数など）によって本明細書に記載される技術を実現することができる。ソフトウェアコードはメモリに記憶されてプロセッサによって実行されてもよい。メモリはプロセッサ内部又はプロセッサ外部で実現されてもよい。
【００８６】
選択可能に、別の実施例として、前記スケジューリングするための時間領域リソースの割り当て情報は、スケジューリング待ちの時間領域リソースの数量情報を含む。
【００８７】
上記の選択可能な実施例では、第一のプロセッサ１２０３は、さらに前記コンピュータプログラムを実行する時に、以下のように実行するように構成される：
アップリンク及びダウンリンク時間領域リソース配置情報に基づいて、前記スケジューリング待ちの時間領域リソースのための候補時間領域リソースを確定し、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であり、
前記スケジューリング待ちの時間領域リソースを前記候補時間領域リソースに順次充填し、前記スケジューリング待ちの時間領域リソースに対応する時間領域位置を確定する。
【００８８】
選択可能に、別の実施例として、前記スケジューリングするための時間領域リソースの割り当て情報は、スケジューリング待ちの時間領域リソースの数量情報及び各スケジューリング待ちの時間領域リソースに対する予選位置情報を含む。
【００８９】
上記の選択可能な実施例では、第一のプロセッサ１２０３は、さらに前記コンピュータプログラムを実行する時に、
アップリンク及びダウンリンク時間領域リソース配置情報に基づいて、各スケジューリング待ちの時間領域リソースの予選位置情報から、衝突する時間領域リソース位置を確定するステップ１であって、ここで、前記衝突する時間領域リソース位置が、時間領域リソース配置情報内の、前記スケジューリング待ちの時間領域リソースのチャネル伝送方向と反対する時間領域リソース位置である、ステップ１と、
予選位置内の衝突する時間領域リソース位置を、前記衝突する時間領域リソース位置に最も近い非衝突の時間領域リソース位置に後方へ移動する、ステップ２と、
予選位置内の前記衝突する時間領域リソース位置の後の予選位置を、前記衝突する時間領域リソース位置の後方移動距離に従って、後方へ移動する、ステップ３と、
アップリンク及びダウンリンク時間領域リソース配置情報に基づき、後方へ移動した後の予選位置に衝突する時間領域リソース位置が存在するか否かを判定し、存在する場合、ステップ２を実行し、後方へ移動した後の予選位置に衝突する時間領域リソース位置が存在しないようになるまで続き、そしてステップ５を実行し、存在しない場合、ステップ５を実行する、ステップ４と、
前記スケジューリング待ちの時間領域リソースを、後方へ移動した後の予選位置に順次充填し、前記スケジューリング待ちの時間領域リソースに対応する時間領域位置を確定する、ステップ５と、を実行するように構成される。
【００９０】
選択可能に、別の実施例として、前記チャネルは、データチャネル又は制御チャネルを含む。
【００９１】
選択可能に、別の実施例として、前記スケジューリングするための時間領域リソースの割り当て情報は、ダウンリンク制御情報（ＤＣＩ）に搬送される。
【００９２】
選択可能に、別の実施例として、第一のプロセス１２０３はさらに前記コンピュータプログラムを実行する時に、以下のように実行するように構成される：
前記ネットワーク装置から送信されたアップリンク及びダウンリンク時間領域リソース配置情報を受信し、ここで、前記アップリンク及びダウンリンク時間領域リソース配置情報が、利用可能な時間領域リソースのスロットレベル位置情報及び／又はシンボルレベル位置情報を含む。
【００９３】
選択可能に、別の実施例として、前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送される。
【００９４】
上記の選択可能な実施例では、前記アップリンク及びダウンリンク時間領域リソース配置情報は、フレーム構造情報及び／又はスロットフォーマットインジケータ（ＳＦＩ）である。
【００９５】
実施例５
上記実施例と同じ発明概念に基づき、図１３を参照し、それが本発明の実施例に係るネットワーク装置１３０の構造を示し、該ネットワーク装置１３０が送信部１３０１、第二の伝送部１３０２を備え、ここで、
前記送信部１３０１が端末へスケジューリングするための時間領域リソースの割り当て情報を送信するように構成され、ここで、前記スケジューリング待ちの時間領域リソースが、チャネル伝送をしようとする時間領域リソースを含み、前記割り当て情報が、前記端末が前記スケジューリング待ちの時間領域リソースに対応する時間領域位置を確定することに用いられる。
【００９６】
前記第二の伝送部１３０２は、前記スケジューリング待ちの時間領域リソースによって、前記スケジューリング待ちの時間領域リソースに対応する時間領域位置に従って、前記端末とチャネル伝送を行うように構成される。
【００９７】
一つの可能な実施形態では、前記送信部１３０２は、さらに前記端末へアップリンク及びダウンリンク時間領域リソース配置情報を送信するように構成され、ここで、前記アップリンク及びダウンリンク時間領域リソース配置情報が、利用可能な時間領域リソースのスロットレベル位置情報及び／又はシンボルレベル位置情報を含む。
【００９８】
一つの可能な実施形態では、前記チャネルはデータチャネル又は制御チャネルを含む。
【００９９】
一つの可能な実施形態では、前記スケジューリングするための時間領域リソースの割り当て情報は、ダウンリンク制御情報（ＤＣＩ）に搬送される。
【０１００】
一つの可能な実施形態では、前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送される。
【０１０１】
上記実施形態では、前記アップリンク及びダウンリンク時間領域リソース配置情報は、フレーム構造情報及び／又はスロットフォーマットインジケータ（ＳＦＩ）である。
【０１０２】
一つの可能な実施形態では、前記スケジューリングするための時間領域リソースの割り当て情報は、前記スケジューリング待ちの時間領域リソースの数量情報を含み、又は、前記スケジューリングするための時間領域リソースの割り当て情報は、前記スケジューリング待ちの時間領域リソースの数量情報及び各スケジューリング待ちの時間領域リソースに対する予選位置情報を含む。
【０１０３】
理解できるものとして、本実施例では、「部分」は、部分の回路、部分のプロセッサ、部分のプログラム又はソフトウェアなどであってもよく、当然ユニットであってもよく、またモジュールであってもよいし、非モジュール化であってもよい。
【０１０４】
また、本実施例における各構成部は一つの処理ユニットに統合されてもよく、個々のユニットは単独で物理的に存在してもよく、二つ又は二つ以上のユニットは一つのユニットに統合されてもよい。上記の統合されたユニットはハードウェアの形態で実現されてもよいし、ソフトウェア機能モジュールの形態で実現されてもよい。
【０１０５】
前記統合されたユニットは、ソフトウェア機能モジュールの形態で実現され、独立した製品として販売又は使用されない場合、一つのコンピュータ読み取り可能記憶媒体に記憶されてもよく、このような理解に基づき、本実施例の技術的解決策は本質的に又は従来技術に寄与する部分又は該技術的解決策の全て又は部分がソフトウェア製品の形で実現されてもよく、該コンピュータソフトウェア製品がコンピュータ装置（パーソナルコンピュータ、サーバ、又はネットワークデバイス等であってもよい）又はプロセッサ（ｐｒｏｃｅｓｓｏｒ）に本実施例に記載される方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１０６】
したがって、本実施例はコンピュータ読み取り可能媒体を提供し、該コンピュータ読み取り可能媒体が時間領域リソースを確定するためのプログラムを記憶し、時間領域リソースを確定するための前記プログラムが少なくとも一つのプロセッサによって実行される時に上記実施例２に記載される方法のステップを実施する。
【０１０７】
上記ネットワーク装置１３０及びコンピュータ読み取り可能媒体に基づき、図１４を参照し、それが本発明に係るネットワーク装置１３０の具体的なハードウェア構造を示し、該ネットワーク装置１３０が
第二のネットワークインタフェース１４０１、第二のメモリ１４０２と第二のプロセッサ１４０３を備えることができ、各部材がバスシステム１４０４を介して結合される。理解できるものとして、バスシステム１４０４はこれらの部材間の接続通信を実現することに用いられる。バスシステム１４０４はデータバス以外、電源バス、制御バスと状態信号バスを含む。しかしながら、説明を明確にするために、図１４では様々なバスシステムがバスシステム１４０４として標識される。
【０１０８】
ここで、前記第二のネットワークインタフェース１４０１は他の外部ネットワーク要素との情報の送受信において、信号を受信及び送信するように構成され、
第二のメモリ１４０２は第二のプロセッサ１４０３で実行可能なコンピュータプログラムを記憶するように構成され、
第二のプロセッサ１４０３は、前記コンピュータプログラムを実行する時に、以下のように実行するように構成される：
端末へスケジューリングするための時間領域リソースの割り当て情報を送信し、ここで、前記スケジューリング待ちの時間領域リソースが、チャネル伝送をしようとする時間領域リソースを含み、前記割り当て情報が前記スケジューリング待ちの時間領域リソースに対応する時間領域位置を確定するために前記端末によって用いられ、
前記スケジューリング待ちの時間領域リソースによって、前記スケジューリング待ちの時間領域リソースに対応する時間領域位置に従って、前記端末とチャネル伝送を行う。
【０１０９】
選択可能に、別の実施例として、前記チャネルは、データチャネル又は制御チャネルを含む。
【０１１０】
選択可能に、別の実施例として、前記スケジューリングするための時間領域リソースの割り当て情報は、ダウンリンク制御情報（ＤＣＩ）に搬送される。
【０１１１】
選択可能に、別の実施例として、第二のプロセス１４０３はさらに前記コンピュータプログラムを実行する時に、以下のように実行するように構成される：
前記端末装置へアップリンク及びダウンリンク時間領域リソース配置情報を送信し、ここで、前記アップリンク及びダウンリンク時間領域リソース配置情報が、利用可能な時間領域リソースのスロットレベル位置情報及び／又はシンボルレベル位置情報を含む。
【０１１２】
選択可能に、別の実施例として、前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送される。
【０１１３】
上記実施例では、前記アップリンク及びダウンリンク時間領域リソース配置情報は、フレーム構造情報及び／又はスロットフォーマットインジケータ（ＳＦＩ）である。
【０１１４】
選択可能に、別の実施例では、前記スケジューリングするための時間領域リソースの割り当て情報は、前記スケジューリング待ちの時間領域リソースの数量情報を含み、又は、前記スケジューリングするための時間領域リソースの割り当て情報は、前記スケジューリング待ちの時間領域リソースの数量情報及び各スケジューリング待ちの時間領域リソースに対する予選位置情報を含む。
【０１１５】
実施例６
上記実施例と同じ発明概念に基づき、図１５を参照し、それが本発明の実施例に係る時間領域リソース確定システム１５０を示し、システム１５０が端末１１０とネットワーク装置１３０を備え、ここで、
前記ネットワーク装置１３０が前記端末へスケジューリングするための時間領域リソースの割り当て情報を送信し、ここで、前記スケジューリング待ちの時間領域リソースが、チャネル伝送をしようとする時間領域リソースを含み、前記割り当て情報が前記スケジューリング待ちの時間領域リソースに対応する時間領域位置を確定するために前記端末によって用いられ、
前記スケジューリング待ちの時間領域リソースによって、前記スケジューリング待ちの時間領域リソースに対応する時間領域位置に従って、前記端末１１０とチャネル伝送を行うように構成され、
前記端末１１０が前記ネットワーク装置１３０から送信されたスケジューリングするための時間領域リソースの割り当て情報を受信し、ここで、前記スケジューリング待ちの時間領域リソースが、チャネル伝送をしようとする時間領域リソースを含み、
設定されたルールによって、アップリンク及びダウンリンク時間領域リソース配置情報及び割り当て情報に基づいて、スケジューリング待ちの時間領域リソースに対応する時間領域位置を確定し、
スケジューリング待ちの時間領域リソースによって、前記スケジューリング待ちの時間領域リソースに対応する時間領域位置に従って、前記ネットワーク装置１３０とチャネル伝送を行うように構成される。
【０１１６】
具体的な実施プロセスにおいて、本実施例におけるネットワーク装置１３０は、好ましく上記のいずれかの実施例に記載されるネットワーク装置１３０であってもよく、端末１１０は好ましく上記のいずれかの実施例に記載される端末１１０であってもよい。
【０１１７】
当業者であれば、本発明の実施例は方法、システム、又はコンピュータプログラム製品として提供されてもよいと理解すべきである。したがって、本発明はハードウェア実施例、ソフトウェア実施例、又はソフトウェアとハードウェアを組み合わせる実施例の形態を採用してもよい。また、本発明はコンピュータ使用可能プログラムコードを含む一つ又は複数のコンピュータ使用可能記憶媒体（磁気ディスクメモリ及び光メモリ等を含むがこれらに限らない）で実施されるコンピュータプログラム製品の形態を採用できる。
【０１１８】
本発明は本発明の実施例に係る方法、装置（システム）、及びコンピュータプログラム製品のフローチャート及び／又はブロック図を参照しながら説明する。コンピュータプログラムコマンドによってフローチャート及び／又はブロック図の各フロー及び／又はブロック、及びフローチャート及び／又はブロック図におけるフロー及び／又はブロックの組み合わせを実現できると理解すべきである。これらのコンピュータプログラムコマンドを汎用コンピュータ、専用コンピュータ、組み込みプロセッサ又はその他のプログラム可能データ処理装置のプロセッサに提供して一つの機械を生成することができ、それによってコンピュータ又はその他のプログラム可能データ処理装置のプロセッサで実行されるコマンドによりフローチャートにおける一つのフロー又は複数のフロー及び／又はブロック図における一つのブロック又は複数のブロックに指定された機能を実現するための装置を生成する。
【０１１９】
これらのコンピュータプログラムコマンドは特定の方式で動作するようにコンピュータ又はその他のプログラム可能データ処理装置を案内することができるコンピュータ読み取り可能なメモリに記憶されてもよく、それによって該コンピュータ読み取り可能メモリに記憶されたコマンドによりコマンド装置を含む製造品を生成し、該コマンド装置はフローチャートにおける一つのフロー又は複数のフロー及び／又はブロック図における一つのブロック又は複数のブロックに指定された機能を実現する。
【０１２０】
これらのコンピュータプログラムコマンドはコンピュータ又はその他のプログラム可能データ処理装置にロードされてもよく、コンピュータ又はその他のプログラム可能装置で一連の動作ステップを実行してコンピュータで実現される処理を発生し、それによってコンピュータ又はその他のプログラム可能装置で実行されるコマンドはフローチャートにおける一つのフロー又は複数のフロー及び／又はブロック図における一つのブロック又は複数のブロックに指定された機能を実現するためのステップを提供する。
【０１２１】
上記は、本発明の好ましい実施例に過ぎず、本発明の保護範囲を限定するものではない。
【産業上の利用可能性】
【０１２２】
本実施例では、端末が基地局と予め協定された確定ルールによってスケジューリング待ちの時間領域リソースに対応する時間領域位置を確定し続け、これにより、確定された時間領域位置が基地局によってスケジューリング待ちの時間領域リソースを調整したスケジューリング情報と一致し、それによって端末がチャネル伝送を行う時に、時間領域配置情報と衝突して端末が短期間内にチャネル伝送を行うことができないことを回避するだけでなく、端末と基地局がチャネル伝送を行う時のシグナリングオーバーヘッドを節約し、また制御シグナリングの繰り返し送信による誤検出確率の増加を回避する。
【図１】
2020537364.tif 000003
【図２】
2020537364.tif 000004
【図３】
2020537364.tif 000005
【図４】
2020537364.tif 000006
【図５】
2020537364.tif 000007
【図６】
2020537364.tif 000008
【図７】
2020537364.tif 000009
【図８】
2020537364.tif 000010
【図９】
2020537364.tif 000011
【図１０】
2020537364.tif 000012
【図１１】
2020537364.tif 000013
【図１２】
2020537364.tif 000014
【図１３】
2020537364.tif 000015
【図１４】
2020537364.tif 000016
【図１５】
2020537364.tif 000017
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
時間領域リソース確定方法であって、端末によって実装され、
ネットワーク装置から送信されたスケジューリングするための時間領域リソースの割り当て情報を受信することであって、
ここで、前記スケジューリング待ちの時間領域リソースが、チャネル伝送をしようとする時間領域リソースを含む、ことと、
設定されたルールによって、アップリンク及びダウンリンク時間領域リソース配置情報及び割り当て情報に基づいて、スケジューリング待ちの時間領域リソースに対応する時間領域位置を確定することと、
スケジューリング待ちの時間領域リソースによって、前記スケジューリング待ちの時間領域リソースに対応する時間領域位置に従って、前記ネットワーク装置とチャネル伝送を行うこととを含む、前記時間領域リソース確定方法。
【請求項２】
前記スケジューリングするための時間領域リソースの割り当て情報は、スケジューリング待ちの時間領域リソースの数量情報を含むことを特徴とする
請求項１に記載の方法。
【請求項３】
設定されたルールによって、アップリンク及びダウンリンク時間領域リソース配置情報及び前記割り当て情報に基づいて、前記スケジューリング待ちの時間領域リソースに対応する時間領域位置を確定することは、
アップリンク及びダウンリンク時間領域リソース配置情報に基づいて、前記スケジューリング待ちの時間領域リソースのための候補時間領域リソースを確定することであって、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であることと、
前記スケジューリング待ちの時間領域リソースを前記候補時間領域リソースに順次充填し、前記スケジューリング待ちの時間領域リソースに対応する時間領域位置を確定することとを含むことを特徴とする
請求項２に記載の方法。
【請求項４】
前記スケジューリングするための時間領域リソースの割り当て情報は、スケジューリング待ちの時間領域リソースの数量情報及び各スケジューリング待ちの時間領域リソースに対する予選位置情報を含むことを特徴とする
請求項１に記載の方法。
【請求項５】
設定されたルールによって、アップリンク及びダウンリンク時間領域リソース配置情報及び前記割り当て情報に基づいて、前記スケジューリング待ちの時間領域リソースに対応する時間領域位置を確定することは、
アップリンク及びダウンリンク時間領域リソース配置情報に基づいて、各スケジューリング待ちの時間領域リソースの予選位置情報から、衝突する時間領域リソース位置を確定するステップ１であって、ここで、前記衝突する時間領域リソース位置が、時間領域リソース配置情報内の、前記スケジューリング待ちの時間領域リソースのチャネル伝送方向と反対する時間領域リソース位置である、ステップ１と、
予選位置内の衝突する時間領域リソース位置を、前記衝突する時間領域リソース位置に最も近い非衝突の時間領域リソース位置に後方へ移動する、ステップ２と、
予選位置内の前記衝突する時間領域リソース位置の後の予選位置を、前記衝突する時間領域リソース位置の後方移動距離に従って、後方へ移動する、ステップ３と、
アップリンク及びダウンリンク時間領域リソース配置情報に基づき、後方へ移動した後の予選位置に衝突する時間領域リソース位置が存在するか否かを判定し、存在する場合、ステップ２を実行し、後方へ移動した後の予選位置に衝突する時間領域リソース位置が存在しないようになるまで続き、そしてステップ５を実行し、存在しない場合、ステップ５を実行する、ステップ４と、
前記スケジューリング待ちの時間領域リソースを、後方へ移動した後の予選位置に順次充填し、前記スケジューリング待ちの時間領域リソースに対応する時間領域位置を確定する、ステップ５と、を含むことができることを特徴とする
請求項４に記載の方法。
【請求項６】
前記チャネルは、データチャネル又は制御チャネルを含むことを特徴とする
請求項１に記載の方法。
【請求項７】
前記スケジューリングするための時間領域リソースの割り当て情報は、ダウンリンク制御情報（ＤＣＩ）に搬送されることを特徴とする
請求項１に記載の方法。
【請求項８】
前記方法はさらに、
前記ネットワーク装置から送信されたアップリンク及びダウンリンク時間領域リソース配置情報を受信し、ここで、前記アップリンク及びダウンリンク時間領域リソース配置情報が、利用可能な時間領域リソースのスロットレベル位置情報及び／又はシンボルレベル位置情報を含むことを含むことを特徴とする
請求項１に記載の方法。
【請求項９】
前記アップリンク及びダウンリンク時間領域リソース配置情報は、予め定義された情報であり、又は、前記アップリンク及びダウンリンク時間領域リソース配置情報は、無線リソース制御（ＲＲＣ）シグナリング及び／又はＤＣＩに搬送されることを特徴とする
請求項１に記載の方法。
【請求項１０】
前記アップリンク及びダウンリンク時間領域リソース配置情報は、フレーム構造情報及び／又はスロットフォーマットインジケータ（ＳＦＩ）であることを特徴とする
請求項９に記載の方法。
【請求項１１】
前記端末であって、受信部、確定部と第一の伝送部を備え、ここで、
前記受信部がネットワーク装置から送信されたスケジューリングするための時間領域リソースの割り当て情報を受信するように構成され、ここで、前記スケジューリング待ちの時間領域リソースが、チャネル伝送をしようとする時間領域リソースを含み、
前記確定部が設定されたルールによって、アップリンク及びダウンリンク時間領域リソース配置情報及び割り当て情報に基づいて、スケジューリング待ちの時間領域リソースに対応する時間領域位置を確定するように構成され、
前記第一の伝送部がスケジューリング待ちの時間領域リソースによって、前記スケジューリング待ちの時間領域リソースに対応する時間領域位置に従って、ネットワーク装置とチャネル伝送を行うように構成される、前記端末。
【請求項１２】
前記スケジューリングするための時間領域リソースの割り当て情報は、スケジューリング待ちの時間領域リソースの数量情報を含むことを特徴とする
請求項１１に記載の端末。
【請求項１３】
前記確定部は、
アップリンク及びダウンリンク時間領域リソース配置情報に基づいて、前記スケジューリング待ちの時間領域リソースのための候補時間領域リソースを確定し、ここで、前記候補時間領域リソースの数量が前記スケジューリング待ちの時間領域リソースの数量と一致し、且つ前記候補時間領域リソースが、前記アップリンク及びダウンリンク時間領域リソース配置情報内の衝突する時間領域リソース位置と重なることがなく、前記衝突する時間領域リソース位置が、前記アップリンク及びダウンリンク時間領域リソース配置情報内の、前記スケジューリング待ちの時間領域リソースのチャネル伝送方向と反対する時間領域リソース位置であり、
前記スケジューリング待ちの時間領域リソースを前記候補時間領域リソースに順次充填し、前記スケジューリング待ちの時間領域リソースに対応する時間領域位置を確定するように構成されることを特徴とする
請求項１２に記載の端末。
【請求項１４】
前記スケジューリングするための時間領域リソースの割り当て情報は、スケジューリング待ちの時間領域リソースの数量情報及び各スケジューリング待ちの時間領域リソースに対する予選位置情報を含むことを特徴とする
請求項１１に記載の端末。
【請求項１５】
前記受信部は、さらに前記ネットワーク装置から送信されたアップリンク及びダウンリンク時間領域リソース配置情報を受信するように構成され、ここで、前記アップリンク及びダウンリンク時間領域リソース配置情報が、利用可能な時間領域リソースのスロットレベル位置情報及び／又はシンボルレベル位置情報を含むことを特徴とする
請求項１１に記載の端末。
【国際調査報告】
2020537364.tif 000018
2020537364.tif 000019
2020537364.tif 000020
2020537364.tif 000021